(57)【要約】誘導磁界による脂肪組織分解のための繰り返し性神経刺激装置および方法が創出された。この装置および方法は、腹部、臀部または大腿部のような特定の身体領域を目標として、身体との接触なしに脂肪組織を低減するために、患者に特化した簡易な調整可能性および制御を可能にする。本発明は、組織内においてパルス状の磁界によって電界が無接触で誘導されることによる筋肉収縮の刺激の効果を利用する。この場合、パルス化された磁界は、電流の影響によってイオンの移動を励起して、代謝を計量し得る程度に高めることもできる。血行が高まり、酸素の供給が増大することは明白である。
2015521879.tif 000002
【特許請求の範囲】
【請求項１】
台架（１）に交換可能に取り付けられた刺激コイル（３）であって、プラスチックのケーシング（２）の中に収納された刺激コイル（３）と、前記刺激コイル（３）に対する位置決めを患者の身体に合うように個々に調整可能にするための高さ可変の台（４）と、前記刺激コイル（３）冷却用の空気ファン（１０）と、前記刺激コイル（３）を電気的に駆動するためのパルス発生器（１１）と、給電電圧を発生させるための別個の電源装置（１４）とを備えた、誘導磁界による脂肪組織分解のための繰り返し性神経刺激装置。
【請求項２】
前記台架（１）の中に組み込まれた揺動可能なカメラ（６）であって、発生した筋肉の収縮を観察すると共に、コンピュータサポートされる刺激最適化のための制御ソフトウェアを含む操作コンソール（８）組み込み型ラップトップ（９）にフィードバックするためのカメラ（６）を備えることを特徴とする請求項１に記載の装置。
【請求項３】
前記台架（１）の中に組み込まれた前記カメラ（６）を、調整リング（７）を用いて手動で揺動させることができることを特徴とする請求項２に記載の装置。
【請求項４】
腹部、臀部または大腿部のような異なる身体領域に形状およびサイズの点で適合した種々の刺激コイル（３）の一組を備えることを特徴とする請求項１〜３のいずれか一項に記載の装置。
【請求項５】
前記刺激コイル（３）の導体と、前記パルス発生器（１１）との接続導線（１８、１９）であって、前記台架（１）の中に配置される付属の前記接続導線（１８、１９）とが、導体断面積が１ｃｍ２〜２ｃｍ２である例えば銅またはアルミニウムのような中実金属から構成され、かつ、装置内における前記刺激コイル（３）の担持機能を担うことを特徴とする請求項１〜４のいずれか一項に記載の装置。
【請求項６】
前記接続導線（１８、１９）の一方と、刺激コイルの導体の末端部分（２６）との間の導線カップリング（２５）が、断面が台形に形成される差し込み継手（２８、２９）と、袋ナット（３１）とから構成されることを特徴とする請求項５に記載の装置。
【請求項７】
前記刺激コイル（３）の巻線の間、および、前記接続導線（１８、１９）とそれを囲むそれぞれのケーシング（２）または台架（１）との間の両者において、セラミックの保持要素（１７）がスペーサとして機能することを特徴とする請求項５に記載の装置。
【請求項８】
前記刺激コイル（３）の冷却用として導入される空気が、接続導線（１８、１９）を囲繞する前記台架（１）の空気ガイド流路（２０）を通って吸引され得るように、前記刺激コイル（３）のプラスチックのケーシング（２）が、空気流入開口（２２）と内部における空気ガイド要素とを有することを特徴とする請求項１〜７のいずれか一項に記載の装置。
【請求項９】
前記空気流入開口（２２）の領域のプラスチックのケーシング（２）の内側にフィルタマット（２３）が設けられることを特徴とする請求項８に記載の装置。
【請求項１０】
前記高さ可変の台（４）が、掛け止め可能な停止機構を備えた垂直方向に可動なサポート、あるいは、垂直方向に互いに上下に配置される鋏型のアームであって、その間に配置されるモータまたは手動クランクを駆動する水平のねじスピンドルを備えた鋏型のアーム、あるいは、足踏みポンプ作動の液圧式ジャッキを含む機械的な昇降装置を有することを特徴とする請求項１〜９のいずれか一項に記載の装置。
【請求項１１】
前記カメラ（６）が捉える身体領域を適正に照明するための投光器（１３）が、筋肉収縮の撮影のために前記台架（１）に組み込まれることを特徴とする請求項２〜１０のいずれか一項に記載の装置。
【請求項１２】
前記台架（１）の形状が部分的に磁力線の径路に合致していることを特徴とする請求項１〜１１のいずれか一項に記載の装置。
【請求項１３】
前記パルス発生器（１１）が直接前記台架（１）に配置されることを特徴とする請求項１〜１２のいずれか一項に記載の装置。
【発明の詳細な説明】
【技術分野】
【０００１】
本発明は、組織内におけるパルス状の磁界に基づく電界の無接触誘導による筋肉収縮の刺激の効果を利用する。この場合、パルス化された磁界は、電流の影響によってイオンの移動を励起して、代謝を計量し得る程度に高めることもできる。血行が高まり、酸素の供給が増大することは明白である。この効果は、現在のところ、病気または事故の後の筋肉の回復の観点から医学的に評価され、すでに相応する発明が生まれている。
【背景技術】
【０００２】
すなわち、（特許文献１）から磁気刺激を備えたトレーニング器具が知られる。この器具においては、麻痺した肢体の意図する関節の動きを機械的にガイドするための手段と連携して、麻痺した肢体を動かすための刺激が与えられる。（特許文献２）からは、骨粗しょう症および他の筋肉骨格疾病を処置する器具が知られる。この器具においては、寝椅子上の患者の当該肢体が、電磁界を発生させる円筒状のコイルによって取り囲まれる。（特許文献３）からは、人間の肢体内の凝血塊を溶解させるための装置および方法を読み取ることができる。この場合、患者は細長いプラットホーム上に横たわっており、そのプラットホームの上部に、バタフライ型の水冷の磁界コイルを備えた横方向に延びる縦方向に可動な保持器が刺激用として装着される。磁界コイルの位置決めのために、その保持器は、処置されるべき肢体の上部において簡単に移動される。刺激の周波数および時間は、ＰＣの対話型プログラムによって制御される。（特許文献４）から知られる別の電磁システムは、人体の神経、筋肉および他の組織部位を刺激するために、それぞれの肢体の輪郭に人間工学的に適合した、フレキシブルな平面コイルまたは円筒コイルの形態の治療処置用の刺激コイルを使用する。
【０００３】
さらに前記を超えて、―これまで利用されていないが、―磁界刺激による筋肉の刺激は筋肉の周囲の脂肪組織の分解をもたらすのである。これは、本出願人が、特に肥満質および筋肉質の被検者についての多くの実験によって証明し得たところである。この場合、スリムな被検者については、体重が有意に減少することなく、筋肉の増成が生じている。
【０００４】
パルス化された磁界によって肥満もしくは体重過多を処置する装置および方法は確かに既に存在しているが、これらは、磁界発生コイルに加えてさらに身体の表面と接触する永久磁石を必要とする（（特許文献５））か、あるいは、甲状腺を活性化する磁界を介して間接的に作用し（（特許文献６））、同様に首輪によって身体に装着しなければならないかのいずれかである。
【先行技術文献】
【特許文献】
【０００５】
【特許文献１】独国特許出願公開第１０２００７０４４４４５Ａ１号明細書
【特許文献２】米国特許出願公開第２００５／０２０３３３２Ａ１号明細書
【特許文献３】米国特許第６，２１３，９３３Ｂ１号明細書
【特許文献４】米国特許出願公開第２００３／０１５８５８５Ａ１号明細書
【特許文献５】独国特許出願公開第１００６２０５０Ａ１号明細書
【特許文献６】独国特許出願公開第１０２００９０４３７２８Ａ１号明細書
【発明の概要】
【発明が解決しようとする課題】
【０００６】
従って、以上述べた経験および知見を利用して、誘導磁界によって脂肪組織を分解するための繰り返し性神経刺激装置および方法を創出することが、本発明の課題として残っている。この装置および方法は、腹部、臀部または大腿部のような特定の身体領域を目標として、身体との接触なしに脂肪組織を低減するために、患者に特化した簡易な調整可能性および制御を可能にするものである。
【課題を解決するための手段】
【０００７】
この目的は、請求項１において特許請求される装置と、請求項１４において特許請求される方法とによって実現される。本発明の有利な形態が従属請求項の対象である。
本発明の利点は、特に、刺激が無接触で誘導されることと、それに伴う刺激の苦痛が別方式の電気刺激の場合に比べると小さいことと、刺激の面積が大きいことと、患者の個々の体格に適合した刺激発生コイルの位置決めが可能であることとにある。
【０００８】
器具の基本的な構成要素は、台架上に固定された電流が流れる大型面積の磁界コイルであって、これを、以下においては刺激コイルと呼称する。腹部、臀部および大腿部の処置用として、異なるコイル形態が用意される。
【０００９】
刺激コイルは、コイル表面の約５ｃｍ前方において０．０１Ｔ〜０．１Ｔの磁束密度の尖頭値を有する磁界を発生する。この場合、この磁界は時間的に変化するものであり、１００μｓ〜３００μｓのパルス幅Ｔを有する２相または単相のパルスから構成される。パルスの繰り返し周波数（刺激周波数ｆｐ）は１０Ｈｚ〜３０Ｈｚである。組織内の刺激部位に、誘導によって、０．１Ｖ／ｃｍ〜１Ｖ／ｃｍの最大電界強さが実現される。コイルの磁界は、量的には、被処置組織容積全域にわたって近似的に場所的に一定である。典型的なコイルのパラメータが表１に総括されている。
【００１０】
【表１】
2015521879.tif 000003
刺激コイルの駆動は、台架から分離して配置されるパルス発生器（刺激器）を介して行われる。現在、医学研究におけるプロトタイプとして使用される１６０μｓ（２相）のパルス幅を有する刺激器（ＩＭＥＴＵＭ、ミュンヘン工科大学、医用工学中央研究所、最終報告書「中心の不全麻痺、特に半身不随を有する患者における運動能力の機能的な周縁磁気刺激（Ｆｕｎｋｔｉｏｎｅｌｌｅ、ｐｅｒｉｐｈｅｒｅ  Ｍａｇｎｅｔｓｔｉｍｕｌａｔｉｏｎ  ｄｅｒ  Ｍｏｔｏｒｉｋ  ｉｎ  Ｐａｔｉｅｎｔｅｎ  ｍｉｔ  ｚｅｎｔｒａｌｅｎ  Ｐａｒｅｓｅｎ、  ｉｎｓｂｅｓｏｎｄｅｒｅ  ｈａｌｂｓｅｌｔｉｇｅｎ  Ｌａｅｈｍｕｎｇｅｎ）」、２０１１年）を使用できる。この場合、刺激コイルおよびコンデンサから構成されるＬＣ共振回路の共振周波数をパルスの幅に対応する周波数に合致させるために、コンデンサの容量を刺激コイルのインダクタンスに適合させる。必要な電界は、５００Ａ〜６０００Ａの範囲のコイルを通る高い電流を要求する。
【００１１】
コイルの面積が大きいことから鋳込み方式でない開放型の構造が形成され、それによって、コイル内に発生する高いジュール熱を空気ファンによって排除できる。空気の導入は有効な冷却のために設けられる。フィルタマットによって、汚染とダストの巻き込みが避けられる。
【００１２】
処置時間は１分〜４５分である。有効な冷却とコイルの構造に基づいて、コイルの過熱なしに長い時間を実現できる。
コイルそのものは、そのサイズのために、中実の金属（例えば銅またはアルミニウム）から自己支持型のものとして作製できる。これによって、コイル導体の表面からの熱の放散が促進される。導体の断面積は１ｃｍ２〜約２ｃｍ２である。この導体断面積は、位置選択的な磁界刺激（焦点合わせ型）に用いられるコイルの導体断面積に比べて大きいが、この大きい断面積によって、オーム抵抗が低下し、従ってジュール熱が低減される。
【００１３】
代替方式として、表皮および近接効果を避けるために、コイルを、従来型の技術において高周波ワイヤから作製することも可能である。しかし、表皮厚さの評価によれば、約２００μｓのパルス幅の場合には、これは必要でないことが示されている。
【００１４】
中実構造方式の場合には、場合によっては、冷却液体によって冷却される中空の導体を使用することも考えられる。
刺激コイルはプラスチック製のケーシングの中にカプセル化される。このケーシングによって、接触電圧の安全性と、同時に冷却空気の導入とが保証される。
【００１５】
空気ファンが冷却空気の流れを発生させる。この冷却空気の流れは、刺激コイルのプラスチックのケーシングに設けられるフィルタ付きの空気流入開口および空気ガイド要素を経由してコイルに達し、そして、コイルに至る電気接続導線の回りに配置されるプラスチック製の空気ガイドを経由して冷却ファンの空気流出開口に導かれる。これによって、空気ファンを、台架の背面側に、かつ刺激コイルの磁界の外側に配置できるようになり、ファンの電気モータの障害となることが避けられる。
【００１６】
電流値が高いために、刺激コイルの導体部分と接続導線との間に高い機械的な力が生じる。これは、間隔保持用のセラミックの保持要素によって支持される。
刺激コイルに至る台架内の電気接続導線は、中実であって可動ケーブルなしに実施される。これによって、空気への最適な熱の伝達と、磁気的な力の支持と、高い運転の安全性とが可能になる。
【００１７】
刺激コイルは、中実の電流供給体そのものによって形成される保持装置の上に装着される。これによって、コイルが台架から十分な距離に位置決めされ、コイルによって台架内に誘導される好ましくない渦電流が最少化される。
【００１８】
刺激コイルは、捩り方式で軸方向に支持された差し込み継手付き継手スリーブを開いて、接続導線用の２つのねじ込み結合を弛めた後、容易に交換することができる。これは重要な点である。種々の肢体領域（腹部、大腿部、臀部）に対して、種々のケーシングを有する種々の形態の最適のコイルが使用されるからである。
【００１９】
刺激コイルの患者に対する位置決めは、高さ可変の台によって変えることができる。それによって、刺激コイルに至る接続導線を堅固に仕上げることができ、位置決めを変更した場合のインダクタンスおよび供給ラインの抵抗の変化が避けられる。
【００２０】
代替方式として、刺激コイルの位置決めを、台架において、垂直の軌道内のクランプ継手によって実施することが可能である。
筋肉収縮の刺激をフィードバックによって最適化することが可能である。このため、台架内に組み込まれたカメラを用いて、刺激コイルによって惹起される収縮を観察し、対応する信号をコンピュータ（例えばラップトップ）に伝送する。この信号によって、対応するプログラムにより、パルス発生器の出力端における電気パルスが、パルスの形、パルスの幅、パルスの振幅および処置時間に関して、受信信号に応じて制御される。
【００２１】
本発明のさらなる利点および特色を示す実施形態が図１〜図８に表現されており、以下、これについて詳しく説明する。
【図面の簡単な説明】
【００２２】
【図１】誘導磁界による脂肪組織分解のための繰り返し性神経刺激装置の全体図である。
【図２】台架／刺激コイル連結配置の詳細図であり、（ａ）は斜視図、（ｂ）は断面図である。
【図３】台架／刺激コイル連結配置の内部の前方導体および後方導体用の導線カップリングを示し、（ａ）は断面図であり、（ｂ）は、連結状態の斜視図である。
【図４】腹部処置用の刺激コイルを示し、（ａ）は、前方（処置側）から見た保護カバーが開かれた状態のケーシングの斜視図、（ｂ）は、導線カップリング部を見ることができる背面（台架側）からのケーシングの斜視図である。
【図５】臀部領域処置用の刺激コイルを示し、（ａ）は、前方（処置側）から見たケーシングの全体図、（ｂ）は、側面から見たケーシングの全体図、（ｃ）は、ケーシングの上面図、（ｄ）は、処置側から見たケーシング内部のコイルの径路図である。
【図６】大腿部処置用の刺激コイルを示し、（ａ）は、前方（処置側）から見たケーシングの全体図、（ｂ）は、側面から見たケーシングの全体図、（ｃ）は、ケーシングの上面図、（ｄ）は、処置側から見たケーシング内部のコイルの径路図である。
【図７】２相パルス発生器の概略回路図である。
【図８】パルス発生器による双極駆動の場合の刺激コイルにおける理想化された電流パターンである。
【発明を実施するための形態】
【００２３】
図１は、誘導磁界による脂肪組織分解のための本願に関わる繰り返し性神経刺激装置の全体図を示す。この装置は、台架（１）に交換可能に取り付けられた刺激コイル（３）であって、プラスチックのケーシング（２）の中に収納された刺激コイル（３）と、刺激コイル（３）に対する位置決めを患者の身体に合うように個々に調整可能にするための足踏みポンプ（５）を備えた高さ可変の台（４）と、台架（１）の中に組み込まれた調整リング（７）を具備する揺動可能なカメラ（６）であって、発生した筋肉の収縮を観察すると共に、コンピュータサポートされる刺激最適化のための制御ソフトウェアを含む操作コンソール（８）組み込み型ラップトップ（９）にフィードバックするためのカメラ（６）と、磁界コイル（３）冷却用の空気ファン（１０）と、磁界コイル（３）を電気的に駆動するためのパルス発生器（１１）と、台架（１）およびパルス発生器（１１）もしくは操作コンソール（８）の間の必要な電気接続導線用の遮蔽ケーブル路（１２）と、カメラ（６）が捉える身体領域を適正に照明する投光器（１３）とを備えている。電力損失を最少化するため、パルス発生器（１１）を直接台架（１）に配置できることが有利であると指摘される。従って、この場合、前記ケーブル路（１２）は省略される。装置への電力供給用の電源装置（１４）は、熱発生が高いために別個に形成されかつ配置され、５００〜１０００Ｖの出力電圧を有すると共に、付属の接続ケーブル（１５）を伴っているが、この電源装置（１４）についても同じことが言える。
【００２４】
上部領域において磁力線の径路にほぼ合致する台架（１）は、基本的に、プラスチック製の中空枠体（１６）から構成され、このプラスチックの中空枠体（１６）は、導線断面積が１．５ｃｍ２の離間配置される接続導線（１８、１９）（図２ａ、図２ｂ）を正確に位置決めするためのセラミックの保持要素（１７）を内部に備えている。この接続導線（１８、１９）は、パルス発生器（１１）と、刺激コイル（３）との間の電流導通を担っており、中空導体としても形成可能である。台架（１）は、ほぼ患者のウェストの高さに、固く組み込まれた管状の空気ガイド流路（２０）であって、水平にかつ横方向に台架（１）を貫通して延びると共に、内部に接続導線（１８、１９）を含む管状の空気ガイド流路（２０）を有する。接続導線（１８、１９）は、空気ガイド流路（２０）から、シールされた穿孔を通して台架（１）内に導かれる。
【００２５】
図１は、さらに、同様に台架（１）内に設けられるカメラ（６）を示している。このカメラ（６）は、処置される身体領域を確実に捉えるように、調整リング（７）によって位置決めできる。カメラ（６）が捉える身体領域を照明するため、台架（１）の上端部に投光器（１３）が設けられる。
【００２６】
高さ可変の台（４）は、足踏みレバー（５）によって運転・停止される機械的な昇降装置を有することができる。垂直方向のサポートを考えることができる。垂直方向に互いに上下に配置される鋏型のアームであって、その間に配置される高さを変えるための水平のねじスピンドルを備えた鋏型のアームを開閉することも可能である。この場合、ねじスピンドルは手動または電気モータによって回転される。台（４）の別の構造的な高さ変更装置として、足踏みポンプを備えた液圧式のジャッキを選択できる。
【００２７】
図２ａは、台架／刺激コイル連結配置の詳細図を示す。この配置は、台架（１）と、空気ガイド流路（２０）と、接続導線（１８、１９）および刺激コイル（３）を冷却するための空気ファン（１０）とを備えている。軸方向に押し込んで捩ることができるように支持される差し込み継手付きの継手スリーブ（２１）が、空気ガイド流路（２０）の始端と、刺激コイル（３）の終端とを、導線カップリングの接触防止としてカバーする。
【００２８】
図２ｂは、台架／刺激コイル連結配置の断面図を示す。台架（１）の中空枠体（１６）内の空気ガイド流路（２０）は、患者と反対側の端部に、空気流出開口（３４）を有する空気ファン（１０）を備えている。この空気ファン（１０）は、刺激コイル（３）のプラスチックケーシング（２）における空気流入開口（２２）と、フィルタマット（２３）とを通過し、図示されていない空気ガイド要素と、刺激コイル（３）の巻線（２４）と、接続導線（１８、１９）との傍らを通って冷却するように空気を吸引する。接続導線（１８、１９）の前方導体および後方導体用の導線カップリング（２５）も示されている。
【００２９】
図３ａは、前方導体および後方導体用の導線カップリング（２５）を断面で示す。刺激コイル（３）における導体の各端部の末端部分（２６）は円筒状に太くなっており、外ねじ（２７）を有する。この末端部分（２６）に、水平の台形のポート（２８）が切り込まれ、その中に台形の接合片（２９）が係合する。その接合片（２９）は、接続導線（１８）または（１９）の一方の太くされた円筒状の末端部分（３０）から延び出ている。内ねじを有する袋ナット（３１）であって、それぞれ接続導線（１８）または（１９）の太くされた末端部分（３０）の一方を囲繞する袋ナット（３１）が、それぞれ末端部分（２６）の外ねじ（２７）の上にねじ込まれ、接続導線（１８、１９）を刺激コイル（３）と結合する。差し込み可能でかつ固くねじ込むことができるこの２つの導線カップリングによって、刺激コイル（３）が接続導線（１８、１９）によって担持される。この特殊なねじ結合は、同時に電気導体の機能をも有する。台形のポート（２８）の円錐状の側面は、大きな面積で台形の接合片（２９）の側面に当接するので、さらに伝送抵抗が小さくなる。
【００３０】
図３ｂは、前方導体および後方導体用として使用される導線カップリングをねじ込まれた状態で示す斜視図である。
図４ａは、腹部処置用の刺激コイル（３）の例を、前方（処置側）から見た斜視図として示す。取り外された締め付け装着可能な保護カバー（３２）と、ほぼラッパ型のプラスチックのケーシング（２）とを認めることができる。このラッパ型のプラスチックのケーシング（２）の内側に、刺激コイル（３）の巻線（２４）を収納するための複数のセラミックの保持要素（１７）が設けられる。刺激コイル（３）の巻線（２４）の端部は、太くされた末端部分（２６）まで平行に導かれる。腹部処置用の巻線（２４）そのものは、ほぼ長円形に延びており、約２０ｃｍ×３０ｃｍの範囲をカバーする。空気流入開口（２２）も認められる。
【００３１】
図４ｂは、腹部処置用の刺激コイル（３）を、後方（台架側）から見た斜視図として示す。外ねじ（２７）およびそれぞれの台形のポート（２８）有する太くされた末端部分（２６）と、セラミックの保持要素（１７）と、刺激コイル（３）のプラスチックのケーシング（２）における溝（３３）であって、継手スリーブ（２１）の軸方向および捩る方向の動きをガイドするための溝（３３）とを明らかに認めることができる。
【００３２】
図５ａ、図５ｂ、図５ｃ、図５ｄは、臀部領域処置用の刺激コイル（３）の種々の図面を示しており、（ａ）前方から見たケーシングの全体図、（ｂ）側面から見たケーシングの全体図、（ｃ）ケーシングの上面図、および、（ｄ）処置側から見たケーシング内部のコイルの径路図を示す。この刺激コイル（３）は、腹部処置用の刺激コイル（３）と同じ構造的な内部構成を有しており、基本的にケーシングの外形が異なるだけである。このケーシングの処置面は隅を丸められた約１５ｃｍ×１５ｃｍの正方形であり、保護カバー（３２）は軽く凹形に湾曲している。刺激コイル（３）自体も、同様に、正方形に延びる形状適合した巻線（２４）を有する。プラスチックのケーシング（２）の背面側は、刺激コイル（３）が患者のウェストの下部の部分に作用するように白鳥の首の形に成形される。
【００３３】
図６ａ、図６ｂ、図６ｃ、図６ｄは、大腿部処置用の刺激コイル（３）の種々の図面を示しており、（ａ）前方から見たケーシングの全体図、（ｂ）側面から見たケーシングの全体図、（ｃ）ケーシングの上面図、および、（ｄ）処置側から見たケーシング内部のコイルの径路図を示す。この刺激コイル（３）は、基本的に臀部領域用のものと同様に構成されるが、処置面が隅を丸められた約１０ｃｍ×２０ｃｍの長方形をカバーしているという点が異なっている。この場合、保護カバーは、垂直方向に延びる僅かな凹形の湾曲を有する。
【００３４】
図７は、使用される従来型のパルス発生器（１１）の概略回路図の例を示す。このパルス発生器（１１）は、刺激コイル（Ｌ）と接続されて（導線カップリングＬＫ参照）、本来の刺激パルス発生ユニットを構成する。別個の電源部（１４）から給電される５００Ｖ〜１０００Ｖの電圧が、操作コンソール（８）からの手動またはコンピュータ（９）のいずれかにより制御される電気スイッチ（図示せず）によって、５０Ｖ間隔で選択され、パルス発生器（１１）の入力端に位置する充電コンデンサ（Ｃ１）に蓄電用として印加される。この選択された充電コンデンサ（Ｃ１）の充電電圧は、基本的に刺激電力、ひいては、生成される刺激パルスの振幅高さを決定する。サイリスタ切換器ＡおよびＢを介して、固有のエネルギー保存装置、すなわちパルスコンデンサ（Ｃ２）が充電もしくは再充電される。パルスコンデンサ（Ｃ２）は、刺激コイル（Ｌ）と共に原則として共振回路を形成するが、この共振回路は、さらに、接続導線および接続導線カップリングのオーム抵抗（図においてはオーム抵抗（Ｒ）として一括表示されている）によって減衰される。パルスコンデンサ（Ｃ２）の繰り返し性の放電、ひいては、刺激周波数ｆＳｔｉｍは、パルスコンデンサ（Ｃ２）を刺激コイル（Ｌ）に接続する２つのサイリスタ（Ｔ１、Ｔ２）であって、逆並列に接続される強電流用のサイリスタ（Ｔ１、Ｔ２）によって制御される。このサイリスタ（Ｔ１、Ｔ２）の逆並列の接続に基づいて、正弦波の２相の電圧および電流パルスを発生させることができる（図８および付属の記述）。そのパルス幅τは、パルスコンデンサ（Ｃ２）に対して並列に接続されているコンデンサ（図示せず）をその都度接続または遮断することによって調整可能である。それは、これによって、共振回路内に存在する全キャパシタンス、従って共振回路の周波数ｆｐ（ｆｐ＝１／（２π√ＬＣ））を変えることができるからである。刺激周波数ｆＳｔｉｍを選択するためのサイリスタ駆動と、パルス幅τを決定するための並列接続されるコンデンサの個数との両者は、操作コンソール（１１）において手動で調整可能であるか、あるいはコンピュータ（９）によって制御される。
【００３５】
図８には、パルス発生器（１１）による２相駆動の場合の刺激コイル（３）における理想的な電流パターンの例が示される。この場合、１５×１０−６Ｈの刺激コイルのインダクタンスと、１０００Ｖの充電電圧ＵＣ２と、３００μｓのパルス幅τの２相の刺激パルスとが採用された。サイリスタ（Ｔ１）（図７）を相互接続した後、約３０００Ａの最大振幅を有する正弦波の電流パターンの正の半波が生じる。τ／２の時点において、すなわちパルス幅τの１／２経過後に、共振回路における電流Ｉ（ｔ）はその極性を変化させ、サイリスタ（Ｔ２）（図７）が、相互接続されて、完全な正弦波の振動が実現されるまで電流の導通を担う。その間、サイリスタ（Ｔ１）は遮断される。これによって生じる正弦波の電流変化パターンの負の半波も、同様に約３０００Ａの最大振幅を有する。パルス幅τ経過後に両サイリスタ（Ｔ１、Ｔ２）が遮断されるので、別の振動は阻止され、１つの２相パルスのみが生じる結果になる。刺激周波数ｆＳｔｉｍの逆数に等しい刺激コイルの繰り返し時間Ｔに達した後に、サイリスタ（Ｔ１、Ｔ２）が前記方法で再度相互接続され、刺激コイルの中にパルス状の電流パターンが、図８に同様に示すように新たに生じる。続いて、このパルス状の電流が、刺激コイル（３）の中に、操作コンソール（８）において調整可能な、またはコンピュータ（９）によって制御される処置時間間隔の範囲内において、対応するパルス状の交番磁界の構成および消去を生じさせる。
【００３６】
サイリスタＴ２が全く相互接続されなければ、図８に示す正弦波の電流パターンＩ（ｔ）の正の半波のみから構成される単相の電流パルスが生じる。
【符号の説明】
【００３７】
１    台架
２    プラスチックのケーシング
３    磁界コイル／刺激コイル
４    台
５    足踏みレバー
６    カメラ
７    調整リング
８    操作コンソール
９    ラップトップ
１０  空気ファン
１１  パルス発生器
１２  ケーブル路
１３  投光器
１４  電源装置
１５  接続ケーブル
１６  中空枠体
１７  保持要素
１８  接続導線
１９  接続導線
２０  空気ガイド流路
２１  継手スリーブ
２２  空気流入開口
２３  フィルタマット
２４  巻線
２５  導線カップリング
２６  末端部分
２７  外ねじ
２８  ポート
２９  接合片
３０  末端部分
３１  袋ナット
３２  保護カバー
３３  溝
３４  空気流出開口
2015521879.tif 000004
2015521879.tif 000005
2015521879.tif 000006
2015521879.tif 000007
2015521879.tif 000008
2015521879.tif 000009
2015521879.tif 000010
2015521879.tif 000011
【図１】
2015521879.tif 000012
【図２】
2015521879.tif 000013
【図３】
2015521879.tif 000014
【図４】
2015521879.tif 000015
【図５】
2015521879.tif 000016
【図６】
2015521879.tif 000017
【図７】
2015521879.tif 000018
【図８】
2015521879.tif 000019
【国際調査報告】
2015521879.tif 000020
2015521879.tif 000021
2015521879.tif 000022
2015521879.tif 000023
2015521879.tif 000024
2015521879.tif 000025